(57)【要約】【課題】乳幼児の運動を妨げずに事故を防ぐ事のできる衣服の開発をする事で、乳幼児の安全を守ることが可能な転倒保護クッションを提供する。【解決手段】  少なくとも使用者の後頭部下に配置され、衝撃吸収材を有し、長さＡ：８０mm以上、平均幅：Ｗ４０mm以上、平均厚さＴ：３０mm以上、であって、使用者の体軸中心を垂直線Ｖとしたときにこの垂直線Ｖから角度θ：７０°以上の角度範囲の空間を空けて配置される大きさと形状の頭部保護機能を有する転倒保護クッション。【選択図】図１
2013177719.tif 000002
【特許請求の範囲】
【請求項１】
少なくとも使用者の後頭部下に配置され、衝撃吸収材を有し、長さ８０mm以上、平均幅４０mm以上、平均厚さ３０mm以上、であって、使用者の体軸中心を垂直線としたときにこの垂直線から角度７０°以上の角度範囲の空間を空けて配置される大きさと形状の頭部保護機能を有する転倒保護クッション。
【請求項２】
長さ：８０〜３６０mm、平均幅：４０〜１８０mm、平均厚さ：３０〜１６０mmの範囲の空間内に収まる大きさである請求項１の転倒保護クッション。
【請求項３】
クッション外形あるいは直線状に伸展したときのクッション外形が収納される最小範囲の直方体に対する衝撃吸収材の容積率が６０％以上である請求項１または２の転倒保護クッション。
【請求項４】
他の衣類に固定可能な固定具を有する請求項１〜３のいずれかの転倒保護クッション。
【請求項５】
衣類と一体として形成されている請求項１〜３のいずれかの転倒保護クッション。
【請求項６】
前記衝撃吸収材が複数のブロックから構成されている請求項１〜４のいずれかの転倒保護クッション。
【発明の詳細な説明】
【技術分野】
【０００１】
本発明は、乳幼児、小児など使用者の転倒時に頭部を保護できるクッションに関する。
【背景技術】
【０００２】
近年生活の質の向上と多様化に伴い、乳幼児を対象とした衣料品においても種々のデザインの衣服が開発販売されている。しかし、これらの乳幼児用衣料品においてはデザイン性を重視している乳幼児衣料が多く、機能性については動きやすさ以外の安全性に関しては殆ど検討されていないのが実情である。しかし、発達途中の乳幼児は、歩行機能が未熟であり、しかも重心が高いため容易に転倒してしまう。しかも、腕など上半身の動作も未熟であるため、転倒時における打撲回避動作や頭部の保護動作を行うことも困難である。
【０００３】
このため、乳幼児では転倒による頭部へのダメージ等の危険が大きく、乳幼児用衣服においても安全性について何らかの対策を施すことが望ましい。しかし、デザイン面や価格との兼ね合いから、安全性に対する対策が軽視されがちである。また、特定の衣服で安全対策が実施できたとしても、限定的な効果しか期待できない。このため、多くの衣服で実用可能な安全対策が必要である。さらに、乳幼児は活発に動き回るため動作を束縛されるのを嫌う傾向にあり、動作を制限するような衣服では使用されないという問題もある。
【０００４】
特開２０１１−１９６００５号公報には、頭を守るための幼児用頭部保護具を提供することを目的として、頭部は、空気を含ませた塩化ビニール素材をドーナッツ型にし、本体は、空気を含ませた塩化ビニール素材を楕円型にし、頭部と連結させ、本体下部の空気栓から入れた空気は、本体及び頭部に送られ、本体とマジックテープ（登録商標）は連結されている幼児用頭部保護具が開示されている。しかし、この文献の幼児用頭部保護具は、本体を背中に当てて、マジックテープ３に手を通して固定する構造であるため、マジックテープにより腕が拘束され、背中や頭部の保護具が絶えず接しているため乳幼児には負担になる。しかも、衝撃急性についての評価もされていない。また、乳幼児の可動域を解析して邪魔にならないようにするなどの工夫もなされていない。
【０００５】
特開２００７−２８４８４８号公報には、乳幼児が成長するにつれ、行動範囲が広がってくると同時に、乳幼児が不意に転倒し、頭部を強打する事は、親にとって悩みの一つであったので、これを防止するための保護具を提供することを目的として、気体密閉袋２の襟が、乳幼児６の後頭部から側頭部を囲むように覆っており、その気体密閉袋２に腕を通して着用し、そこへ、乳幼児６の身体の大きさにサイズ調整可能な締め付け部材３を使い、上半身に完全に固定させる事で頭部を保護する乳幼児頭部保護具が開示されている。しかし、この文献の乳幼児頭部保護具も乳幼児６の後頭部から側頭部を囲むように覆っているため乳幼児にとっては行動の邪魔になり使用を嫌がる可能性が高い。しかも、装着するには乳幼児頭部保護具に腕を通して、締め付け具により固定している。このような構成では乳幼児の動作が著しく制限される。また、乳幼児の可動域を解析して邪魔にならないようにするなどの工夫もなされていない。
【先行技術文献】
【特許文献】
【０００６】
【特許文献１】特開２０１１−１９６００５号公報
【特許文献２】特開２００７−２８４８４８号公報
【発明の概要】
【発明が解決しようとする課題】
【０００７】
解決しようとする問題点は、乳幼児等の使用者の運動を妨げずに事故による怪我を防止したり軽減することの可能なクッションを開発をする事で、使用者の安全を守ることである。
【課題を解決するための手段】
【０００８】
すなわち、上記課題は以下の本発明の構成により解決される。
（１）少なくとも使用者の後頭部下に配置され、衝撃吸収材を有し、長さ８０mm以上、平均幅４０mm以上、平均厚さ３０mm以上、であって、使用者の体軸中心を垂直線としたときにこの垂直線から角度７０°以上の角度範囲の空間を空けて配置される大きさと形状の頭部保護機能を有する転倒保護クッション。
（２）長さ：８０〜３６０mm、平均幅：４０〜１８０mm、平均厚さ：３０〜１６０mmの範囲の空間内に収まる大きさである上記（１）の転倒保護クッション。
（３）クッション外形あるいは直線状に伸展したときのクッション外形が収納される最小範囲の直方体に対する衝撃吸収材の容積率が６０％以上である上記（１）または（２）の転倒保護クッション。
（４）他の衣類に固定可能な固定具を有する上記（１）〜（３）のいずれかの転倒保護クッション。
（５）衣類と一体として形成されている（１）〜（３）のいずれかの転倒保護クッション。
（６）前記衝撃吸収材が複数のブロックから構成されている（１）〜（４）のいずれかの転倒保護クッション。
【発明の効果】
【０００９】
本発明の転倒保護クッションは、乳幼児、あるいは児童、要介護者、身体障害者、特に月齢は６カ月から満２歳までの乳幼児に好適に使用することができ、頭部の保護機能が高く、しかも乳幼児等の使用者の行動を制限しないため邪魔にならず装着を嫌がられることもないという利点がある。
【図面の簡単な説明】
【００１０】
【図１】図１は本発明のクッションの基本構成である第１の態様を示した平面図である。（実施例１）
【図２】図２は図１のＡ−Ａ’断面矢視図である。（実施例１）
【図３】図３は本発明のクッションの第２の態様を示した平面図である。（実施例２）
【図４】図４は本発明のクッションの第２の態様を示した背面図である。（実施例２）
【図５】図５は本発明のクッションの第３の態様を示した平面図である。（実施例３）
【図６】図６は本発明のクッションの第４の態様を示した平面図である。（実施例４）
【図７】図７は本発明のクッションの第５の態様を示した正面図である。（実施例５）
【図８】図８は本発明のクッションの第５の態様を示した側面図である。（実施例５）
【発明を実施するための形態】
【００１１】
本発明の頭部保護機能を有する転倒保護クッションは少なくとも使用者の後頭部下に配置され、かつ少なくとも衝撃吸収材を有し、長さ８０mm以上、平均幅４０mm以上、平均厚さ３０mm以上、であって、使用者の体軸中心を垂直線としたときにこの垂直線から角度７０°以上の角度範囲の空間を空けて配置される大きさと形状を有するものである。
【００１２】
また、好ましくは他の衣類に固定可能な固定具を有し、衣類と分離可能であるか、または一体として形成されている。
【００１３】
クッションは少なくとも使用者の後頭部下に配置される。後頭部下に配置されるのは、転倒時の衝撃から少なくとも後頭部を保護するためであり、後頭部下にクッションの一部が配置されていれば、他の部分が側頭部下等他の部位にあってもよい。また、後頭部下とは一般に頸部周囲が該当し、本発明においても後頭部下の頸部周囲にクッションが配置されるようにすることが望ましい。
【００１４】
本発明のクッションの目的の一つである乳幼児の事故の防止を図るため、先ず乳幼児の事故の調査を行った。転倒、転落による事故件数の割合（発育段階別）を調査したところ以下の通りであった。
（１）寝返りができる時期  ７３％
（２）おすわり・はいはいができる時期  ５８％
（３）つかまり立ち・伝い歩き・よちよち歩きができる時期  ５２％
（４）転ばずに歩行ができる時期  ５６％
（５）走る事ができる時期  ５６％
以上から、乳幼児の事故の半分以上が転倒・転落によるものであることが分かった。
【００１５】
また、乳幼児の体型特徴として以下のものが挙げられる。
（１）乳幼児の頭部は非常に柔らかい
（２）頭部は体重の１０％で相対的に重いが、頭部を支える筋肉は未発達
以上から、頭部打撲が大きな怪我に繋がる可能性が高い。このため、乳幼児の転倒による衝撃からできるだけ頭部を守ることが重要である。
【００１６】
次いで、以下の手順によりクッションの開発を行った。
（１）乳幼児の動作や体型、成長の分析
（２）ハイハイ行動を三次元動作解析ソフトにより解析
（３）プロテクター（クッション）の作成
（４）素材特性の吟味および反発弾性試験によるクッション素材の選定
（５）素材特性の吟味と試験による生地の選定
（６）着用実験
（７）クッションの形状（大きさ）の決定
【００１７】
先ず、対象となる使用者としては、乳幼児あるいは児童が望ましい。このような子供の選定として、乳幼児の発育段階毎に分けて検討を行った結果以下の年齢層が推奨される。乳幼児の年齢層は発達段階に応じて以下の用に分類することができる。首すわり：２〜５ヵ月（生後令、以下同）、寝返り：３〜７ヵ月、おすわり：５〜８ヵ月、ハイハイ：６〜１０ヵ月、つかまり立ち・つたい歩き：７〜１０ヵ月、たっち・あんよ：１０〜１４ヵ月である。そして、上記各年齢相互とに検討を行った結果、対象月齢は６カ月から満２歳までの乳幼児に最も適していることがわかった。
【００１８】
対象年齢の乳幼児が、はいはいしている様子を三次元動作解析ソフトにより分析した。その結果プロテクターに必要な条件としての大きさは、特に厚さと幅は頭部の保護に重要であり、平均厚さ３０mm以上、好ましくは５０mm以上、平均幅４０mm以上、好ましくは６０mm以上必要である。なお、平均厚さに代えてクッション中央部（長さおよび幅方向の中央）の厚みを上記範囲としてもよい。長さは、後頭部の保護だけであれば、８０mm以上、好ましくは１２０mm以上であれば十分であるが、側頭部の保護を図るためには１６０mm以上、好ましくは１８０mm以上必要である。
【００１９】
また、あまり大きさが大きすぎても邪魔になり、重量も重くなるため装着を嫌う傾向が増大する。従って、乳幼児の頭部の前後、左右の動き、頭囲を考慮し、大きさの範囲として長さ：８０〜３６０mm、好ましくは１２０〜３００mm、幅：４０〜１８０mm、好ましくは６０〜１２０mm、厚さ：３０〜１６０mm、好ましくは５０〜１２０mmの範囲の空間内に収まることが必要である。また、月齢６カ月から満２歳までの乳幼児では特に長さ：１８０〜２８０mm、幅：７０〜１１０mm、厚さ：６０〜１１０mmが好ましい。なお、前記大きさを決めるにあたり、クッションの部位毎に寸法が変動する場合にはその平均値を前記各寸法とする。
【００２０】
また、クッション外形が収納される最小範囲の直方体に対する実際のクッション材の容積率が６０％以上、好ましくは７０％以上であることが必要である。なお、クッションが湾曲した形状の場合には、直線状に伸展したときの大きさに近似して前記容積率を求める。さらに、クッション材が複数のブロックないし複数の構成要素で形成されているときには、クッション材の容積を、それらの外形曲線に対する包絡線で表される外形の容積で近似してもよい。あるいは、クッション材が球状、または円筒状で、球、円筒に近似できる場合には、近似した球、円筒の容積として求めてもよい。この場合には同様な長さと体積の直方体に近似することができる。さらに、画像解析により詳細な容積を求めることもできる。
【００２１】
また、頭部および頸部の前後可動域を確保するために、使用者の体軸中心を垂直線としたときに、この垂直線から最低７０度以上、好ましくは８０度以上の角度範囲離間してクッションが配置されていることが必要である。つまり、体軸中心を垂直線としたときに、この垂直線に直交する水平線の仰角２０度、好ましくは１０度以下の範囲にクッションが存在するようにするとよい。この場合例えば、クッションの断面形状が、三角形、扇形に近似される形状にすると、前記角度範囲に収まりやすくなる。なお、前記垂直線と水平線の直交する位置としては、発達段階や体型などにより異なるため特に規制されるものではないが便宜上第７頸椎付近としてもよい。
【００２２】
プロテクターに使用する衝撃吸収材であるクッション素材としては、弾性を有する公知のクッション用素材の中から選択して用いることができる。例えば、枕、座布団などに使用されているクッション材が適している。具体的にはポリエステルなどの合成繊維綿材、オーガニックコットンなどの天然繊維綿材、羽毛、海綿、軟質樹脂成形体、ウレタン発泡樹脂、ポリオールとポリイソシアネートを主成分とする低反発発泡ウレタン樹脂、マイクロ樹脂ビーズなどの発泡樹脂ビーズ、ポリプロピレンなどの樹脂を短いストロー状に成形した樹脂パイプクッション材、中が空洞になった直径数ｃｍ程度のプラスチックボールであるコルマ素材、軟質ゴム、弾力性と高反発性を兼ね備えたナチュラルラテックス素材とシンセティックラバー（合成ゴム）を粉砕した素材であるクラッシュラテックス材などが挙げられる。これらの中でも、コスト、扱いやすさ、手入れの容易さから合成繊維綿材、天然繊維綿材、ウレタン発泡樹脂、低反発発泡ウレタン樹脂、樹脂ビーズ等が好ましい。
【００２３】
クッション材に綿などの繊維状の材料を使用する場合、その繊維充填密度は平均値で０．００５〜０．２ｇ／ｃｍ3  であることが好ましい。また、マイクロビーズ等の発泡樹脂ビーズでは、充填率は７５〜９５容量％程度である。他の材料でもこれと同等程度の容量にすればよい。
【００２４】
クッション材は素材自体で形成してもよいが、外装材で包んで一定の形状を保持するようにしてもよい。このような素材として、天然または合成樹脂繊維からなる布材が挙げられる。また、使用条件によっては樹脂フィルム材なども適している。具体的には、綿、麻、羊毛などの天然繊維からなる布材、ナイロン、ポリエステル、ポリプロピレンなどの合成樹脂からなる布材、または前記天然または合成繊維を組み合わせた複合繊維材からなる布などである。
【００２５】
また、乳幼児に特に適した外装材の条件として以下のものが挙げられる。
（１）通気性に優れ、むれないこと。
（２）保温性に富むこと。
（３）吸湿性に優れること。
（４）耐汚染性に富むこと。
（５）伸縮性に富むこと。
（６）肌触りがよく、柔らかいこと。
【００２６】
上記条件に適した素材として、例えばオーガニックコットンに代表される木綿製の布地と和紙繊維を用いた布地を挙げることができる。これらの素材の特徴を以下に挙げる。
（１）オーガニックコットン
有機栽培綿であるため、残留農薬が少ない。弾力性に富み、柔らかくふっくらとして肌触りが良い。なお、通常の木綿の綿でも一般に残留農薬は問題ない程度の物が多く、これを用いてもよい。
（２）和紙繊維
繊維特性は綿と同様であるが、非常に軽く毛羽がない。
【００２７】
上記クッション材は、それ自体で成形するか、あるいは上記外装材に包むことで、上記外形寸法のクッションに成形する。その形状は、直方体である必要はなく、寸法範囲内であれば様々な形状に形成して使用することができる。特に首回りにフィットし易くし、後頭部から側頭部にかけて広範囲に保護するために円弧状に湾曲させた形状にしてもよい。クッションが円弧状に変形している場合、前記寸法における長さは外縁端部間の長さであり、幅は中央部における内縁部と外縁部の間の幅である。また、クッションが他の形に変形した形状の場合には、直方体に近似したときに上記寸法範囲内にあるようにすればよい。
【００２８】
さらに、上記のように体軸となる垂直線から空ける空間の角度範囲が規制されるため、頸部から遠ざかるにつれて厚みが漸次増すような、断面三角形、扇形などに近似されるような形状にしてもよい。この場合、外周部分において厚み方向が円弧状になるように形成すると、保護機能が向上し、よりクッションとして機能しやすくなる。
【００２９】
本発明のクッションは、それ自体単独で用いることもできるが、好ましい態様として、衣類と組み合わせて用いることが推奨される。衣類と組み合わせることにより、固定が容易になり、デザイン性や使用感を高めることもできる。
【００３０】
本発明のクッションは、衣類などに固定するための固定具を備えているとよい。このような固定具としては、線ファスナーとしてズィップファスナー、ホックスナップやボタンなどの点ファスナーを配置してもよいし、ループとフックからなる面ファスナーを配置してもよい。さらに、クリップ等の狭持器具により、被装着体に固定してもよい。また、線状あるいはループ状のひもを配置してもよい。線状またはループ状のひもは、取り付け相手のボタンや突起物などに引っかけたり結びつけてもよいし、あるいは同様なひもに結ぶようにしてもよい。これらは必要に応じて単独または複数配置してもよいし、その取り付け場所も特に限定される物ではなく、必要に応じて最適に位置に配置すればよい。
【００３１】
〔実験例１〕
ＪＩＳ  Ｋ  ６４００の試験方法により種々のクッション素材の反発弾性を調べ、それらの素材の長所と短所も検討した。結果を以下の表１に示す。
【００３２】
【表１】
2013177719.tif 000003
【００３３】
上記結果から、日常的な場面でクッション材に使用するには、オーガニックコットンに代表される木綿の綿が最も適している。また、転倒した際に大きな衝撃がかかる可能性のある場面では、低反発ウレタンを使用してもよい。
【００３４】
〔実験例２〕
外装材に適した素材として以下の２種について検討した。
（１）木綿布地としてオーガニックコットン
有機栽培綿であるため、残留農薬が極めて少ない。
弾力性に富み、柔らかくふっくらとして肌触りが良い。
（２）和紙繊維
王子ファイバー株式会社  天然紙糸繊維「ＯＪＯ＋」の場合
繊維特性は綿と同様であるが、非常に軽く毛羽がない。
【００３５】
各素材の特性を試験し
上記条件に対する２つの素材特性を調べた。その結果を以下の表２に示す。
【００３６】
【表２】
2013177719.tif 000004
【００３７】
上記表２からオーガニックコットンに代表される木綿製の布地がプロテクターの外装材に特に適していることが分かる。
【実施例１】
【００３８】
図１，２に示すような形状のクッションを作成した。ここで、図１はクッションの１実施形態を示す平面図、図２は図１のＡ−Ａ’断面矢視図である。図において、クッション１は、円弧状に湾曲し両端が閉塞した扁平な筒状体である。
【００３９】
クッション外縁部２は横方向に伸びた大きな円弧状に形成され、後頭部端２１を中心とすると、そこからそれぞれ側部端６，７方向に円弧を描くように連続して形成されている。両側端部６，７はさらに使用者側になる前部へと湾曲しながらそれぞれ端部４，５まで延びている。一方、内縁部３は外縁部より小さな延伸した円弧状に形成され、後部３１からそれぞれ側部３２，３３方向に円弧を描くように連続して形成されている。両側部３２，３３はさらに前部へと湾曲しながらそれぞれ端部４，５まで延びて、前記外縁部２に繋がっている。
【００４０】
外縁部２と内縁部３とはそれぞれ後頭部端２１と後部３１との間の幅Ｗを有し、さらにその中央部８において厚さＴを有するするように形成されている。そして、これらの間にクッション材が配置またな収納されてクッションとして機能するようになっている。また、図２に示されるように、その断面形状は内縁部における後部から後頭部端２１方向に拡幅するように漸次厚みが増加して、三角形ないし扇形に近似した形状をなしている。一方、外苑側ではその断面形状が丸みを帯びて円弧状になっていて、全体として液滴のような形状になっている。
【００４１】
クッション形成にあたっては、オーガニックコットン等の木綿製の布地を外装材とし、上記寸法形状となるように裁断、縫製した。そしてこの外套材内部にはクッション材としてオーガニックコットンに代表される木綿の綿を用い、これを中綿として充填した。
【００４２】
外形は両端部６，７間長さＬ＝２３−２５cm、後部３１と後端部２１間の幅Ｗ＝７−９cm、中心部表８と中心部裏間の厚さT＝７−９cmとした。このクッションを、６カ月から満２歳の乳幼児に装着した位置での断面における中心線ｌ1 と使用者の体軸中心との角度θは８０度以上であった。なお、前記中心線ｌ1 と平行で中心部表８を通る線ｌ2  において体軸中心である垂直線Ｖとの間隙が角度θ以上であることが分かる。
【００４３】
この状態で、クッションを装着した乳幼児を自由に運動させたところ、特にクッションが動作の邪魔になるような事象は確認できなかった。また、乳幼児自身もクッションを嫌がるような様子は見られなかった。さらに、後ろ向き、横向きに倒れた姿勢を取らせたところ、頭部と床の間にクッションが介在して緩衝材として機能することが確認できた。
【００４４】
このようにクッション単体で構成することで、任意の衣類に装着して用いることもでき、使用条件の自由度が増大する。
【実施例２】
【００４５】
図３，４は、本発明の第２の態様を示した図であって、図１は平面図、図２は背面図である。図において、クッション１は、外装材２内部に、球状に成形された複数のクッション材１１ａ，１１ｂ，１１ｃを有している。このクッション材は図示例では球状に形成されていて、クッション材自体で形成してもよいし、形状を保つ外装材にクッション外を内包させてもよい。この例では複数のブロックに形成されたクッション材１１ａ，１１ｂ，１１ｃを内包するため、クッション自体におけるクッション材の容積率が低下するが、クッション材の容積率６０％以上、好ましくは７０％以上あれば、必要最小限の頭部保護機能を発揮することができる。
【００４６】
また、外装材の端部４，５には、それぞれ固定具４２，５２を有する固定部４１，５１が形成されている。この固定具４２，５２により、衣類等に固定してクッションを装着することができるようになっている。固定具４２，５２としては、上記で例示されるホックやボタン、あるいは面または点ファスナーなど何れのものも使用することができる。
【００４７】
そして、球状体など、玩具性を有するクッション材１１ａ，１１ｂ，１１ｃを内包させることにより、装着していないときにはクッション材１１ａ，１１ｂ，１１ｃを取り出して遊具として遊ぶこともできるようになっている。このように、遊具としての機能を持たせることで、頭部保護機能は劣っても、使用者の使用意欲を高めることができる。
【００４８】
また、図４に示すように、中央部のクッション材１１ｂは他のクッション材１１ａ，１１ｃよりも単独で大型になっているか、あるいは２つを縦に並べることで、他のクッション材１１ａ，１１ｃの位置における厚さＴ１よりも長さのある厚さＴ２になっている。これにより、後頭部をより効果的に保護することができる。その他の構成は実施例１と同様であり同一構成要素には同一符号を付して説明を省略する。
【実施例３】
【００４９】
図５は、本発明の第３の態様を示した平面図である。図において、クッション１は、球状に成形された複数のクッション材１２ａ，１２ｂ，１２ｃを有している。この例では外装材を用いることなく、複数のクッション材１２ａ，１２ｂ，１２ｃが直接連結配置されてクッションを形成している。また、両側に配置されたクッション材１２ａ，１２ｃの端部相当部位には、それぞれ固定具４２，５２を有する固定部４１，５１が形成されている。この固定具４２，５２により、上記同様衣類等に固定してクッションを装着することができるようになっている。
【００５０】
また、全体を纏める外装材を用いることが無く直接複数のクッション材を組み合わせてクッションを形成しているので、構成部品が少なくて済むというメリットがある。さらに、デザイン的にも自由度が増し、種々の大きさや形状のクッション材を組み合わせて多様なデザインを形成することができる。
【００５１】
本実施例では、前記固定具４２，５２により固定できる衣類として、前掛けないしエプロン２００を例示している。この前掛けないしエプロン２００は、通常の前掛けなどの同様な形状であり、使用者の首回りを避けるように上部がＵ字状に形成され、その両脇の上端部２０３，２０４には前記固定具４２，５２と対になる固定具２０１，２０２が配置されている。固定具固定具４２，５２，２０１，２０２としては、上記で示される通りである。このように、固定具４２，５２を用いて衣類などに装着することで、クッションの固定が容易になる。その他の構成は実施例１と同様であり同一構成要素には同一符号を付して説明を省略する
【実施例４】
【００５２】
図６は、本発明の第４の態様を示した平面図である。図において、クッション１は、球状に成形された複数のクッション材１３ａ〜１３ｅを有している。この例では多数の球状のクッション材１３ａ〜１３ｅを連結して、昆虫の幼虫を模したデザインを形成している。また、中央部のクッション材１３ｂ、１３ｃ、１３ｄには足を模した装飾具１３２が配置されるとともに、数字などをあしらった模様１３４が付されている。また、左端部のクッション材１３ａには顔を模した模様１３３が付されると共に、頭部に該当する位置には花びらを模した装飾１３１が配置されている。なお、前記装飾１３２などをクッション材としてあまり機能しないので、本発明では容積率には算入しない。
【００５３】
このようによりデザイン性を高め、昆虫、動植物、キャラクター、人物などを用いたデザイン形状に形成することで、娯楽性、玩具性を高め、より使用者の注意を喚起して乳幼児などへの装着を容易にできるという効果が期待できる。なお、本実施例のクッション材にも上記同様固定具４２，５２により、衣類等に固定してクッションを装着することができるようになっている。その他の構成は実施例１と同様であり同一構成要素には同一符号を付して説明を省略する
【実施例５】
【００５４】
図７，８は、本発明の第５の態様を示した図であって、図７は正面図、図２は側面図である。図において、クッション１は、衣類であるベスト１００と一体に形成されている。つまり、クッション１はベスト１００の襟部ないしフードの一部として形成され、デザイン的に融合している。このため、実施例１のクッションよりもより円弧に近い外形をなして、その端部は前身頃部分にまで達している。
【００５５】
また、端部４，５間の通常開放されて開口している部分は、前身頃襟口１０１と一体となっている。また、この例のベスト１００はその外周縁に補強布１０３があてがわれて、形崩れなどを防止している。さらに、前部中央には線ジッパー１０２が配置され、通常の衣類のように、任意に開閉できるようになっている。このように、衣類と一体に形成することで、クッションを固定するための構造や作業が不要になり、取り扱いが容易になる。
【産業上の利用可能性】
【００５６】
本発明のクッションは乳幼児に好適に使用することができるが、これに限らず乳幼児、あるいは児童、要介護者、肢体の不自由な身体障害者にも適用可能である。特に月齢６カ月から満２歳までの乳幼児に効果的であり、頭部の保護機能が高く、しかも乳幼児等の使用者の行動を制限しないため邪魔にならず装着を嫌がられることもない。さらに、形態の自由度もある程度有し、カバーや模様を自由に設定することもでき、種々の態様の服に装着が可能であり、適用範囲が広い。
【図１】
2013177719.tif 000005
【図２】
2013177719.tif 000006
【図３】
2013177719.tif 000007
【図４】
2013177719.tif 000008
【図５】
2013177719.tif 000009
【図６】
2013177719.tif 000010
【図７】
2013177719.tif 000011
【図８】
2013177719.tif 000012